(57)【要約】【課題】ＰＯＳレールへの装着を可能とする表示用ホルダーを提供し、また、更に棚の高さに応じた表示角度の調節を容易且つ確実に行える表示用ホルダーを提供すること。【解決手段】陳列棚に設置されたＰＯＳレールの前方挟持板に取付けられる表示用ホルダー１０であって、ＰＯＳレールの前方挟持板の上縁に挟持する上方挟持部１と、ＰＯＳレールの前方挟持板の下縁に係合する下方係合構造３と、上方挟持部１と下方係合構造３を接続する表示本体を取付ける本体部２と、を備え、下方係合構造３は、本体部２の下端に連続する下方に凸状の係合凹部３１を有し、係合凹部３１をＰＯＳレールの前方挟持板の下縁に係合させる。【選択図】図１
0003124031.tif 000002
【実用新案登録請求の範囲】
【請求項１】
陳列棚に設置されたＰＯＳレールの前方挟持板に取付けられる表示用ホルダーであって、
該ＰＯＳレールの前方挟持板の上縁に挟持する上方挟持部と、
該ＰＯＳレールの前方挟持板の下縁に係合する下方係合構造と、
該上方挟持部と該下方係合構造を接続する表示本体を取付ける本体部と、
を備え、
該下方係合構造は、該本体部の下端に連続する下方に凸状の係合凹部を有し、該係合凹部を該ＰＯＳレールの前方挟持板の下縁に係合させることを特徴とする表示用ホルダー。
【請求項２】
該下方係合構造が、該本体部の下端に連続する下方に凸状の係合凹部と、該係合凹部の後方端から後方斜め下方に延びる係止片を有し、該係止片は該上方挟持部が該ＰＯＳレールの前方挟持板の上縁に取付けられた状態で該ＰＯＳレールの前方挟持板の下縁に当接し、該係合凹部のバネ力に抗した押し込みにより該係合凹部を該ＰＯＳレールの前方挟持板の下縁に係合させることを特徴とする請求項１記載の表示用ホルダー。
【請求項３】
該係合凹部と該係止片間に、下方に凸状の第２の係合凹部と、該係合凹部と該第２の係合凹部を接続する該２つの係合凹部の底部より上方に位置する中間係止部を備えることを特徴とする請求項２記載の表示用ホルダー。
【請求項４】
該係合凹部と該係止片間に、上方に凸状の中間係止部と下方に凸状の第２の係合凹部を備えることを特徴とする請求項２記載の表示用ホルダー。
【請求項５】
該係合凹部から該係止片に至る断面が、波状であることを特徴とする請求項４記載の表示用ホルダー。
【請求項６】
該表示本体が、液晶表示装置であることを特徴とする請求項１〜５のいずれか１項記載の表示用ホルダー。
【請求項７】
該表示本体と該本体部の取付けは、いずれか一方に付設される左右方向に延びる係合雌部と、該係合雌部に係合するいずれか他方に付設される係合雄部とで行われ、該表示本体と該本体部の着脱は、左右方向にスライドして行われることを特徴とする請求項１〜６のいずれか１項記載の表示用ホルダー。
【請求項８】
該表示本体と該本体部の取付けは、いずれか一方に付設される上下方向に延びる係合雌部と、該係合雌部に係合するいずれか他方に付設される係合雄部とで行われ、該表示本体と該本体部の着脱は、上下方向にスライドして行われることを特徴とする請求項１〜６のいずれか１項記載の表示用ホルダー。
【請求項９】
該ＰＯＳレールは、前方挟持部が、カード挟持部の前面に重ね合わせ状態に配置され、該前方挟持部と該カード挟持部は下端縁で断面が円弧状をなすように連結されていることを特徴とする請求項１〜８のいずれか１項記載の表示用ホルダー。
【考案の詳細な説明】
【技術分野】
【０００１】
本考案は、陳列商品の価格表示などを行う表示ホルダーに関するものである。
【背景技術】
【０００２】
従来、図２０に示すように、スーパーやドラッグストア等において使用される陳列棚の棚板１００は、棚板本体１０１と、この棚板本体１０１の前方端に固定した棚板本体の横方向の全長に相当する長さを有する取付具１０２とから構成され、この取付具の上端縁１０３及び下端縁１０４に形成した鉤状の係合部間に商品名や価格等を表示したカードの上下両端部を係合することにより、該カードを取付具１０２に支持するようにしていた。
【０００３】
近年、ＰＯＳレールを取付具１０２に装着して商品情報をより視覚的に表示する方法が採られている。図１９に示すように、ＰＯＳレール２００において、不図示のＰＯＰ（poit of purpose）カードを装着する部分２０１は、カード挟持部２０２の前面に前方挟持部２０３を重ね合わせ状態に配置して、前方挟持部２０３とカード挟持部２０２を下端縁で断面が円弧状２０４をなすように連結して形成している。そして、ＰＯＰカードは、カード挟持部２０２と前方挟持部２０３の上端縁で形成される開口から投入される。
【０００４】
一方、近年、陳列商品の価格等の表示は、液晶表示装置を使用したものが知られている。特開２００２−２３３３２３号公報には、陳列棚等に設けられた取付部材に取付パーツを介して回動自在に取付けられる液晶表示装置の表示角度を調節自在にした表示用ホルダーが開示されている。この表示用ホルダーは、液晶表示面の角度調節が自在であるため、上下複数段の陳列棚のいずれの棚にも見易い角度で設置できる。
【考案の開示】
【考案が解決しようとする課題】
【０００５】
しかしながら、特開２００２−２３３３２３号公報記載の表示用ホルダーを棚板本体１０１の取付具１０２に設置した場合、当該棚板本体１０１には、ＰＯＳレールを装着したＰＯＰ表示をすることができない。また、ＰＯＳレールには通常、商品仕切り板を装着する仕切り板係合溝２０５が形成されており、かかる係合溝２０５を使用した商品仕切り板の設置もできなくなる。従って、ＰＯＳレールへの装着を可能とした表示用ホルダーの開発が望まれていた。
【０００６】
従って、本考案の目的は、ＰＯＳレールへの装着を可能とする表示用ホルダーを提供し、また、更に棚の高さに応じた表示角度の調節を容易且つ確実に行える表示用ホルダーを提供することにある。
【課題を解決するための手段】
【０００７】
本考案は上記課題を解決するものであって、陳列棚に設置されたＰＯＳレールの前方挟持板に取付けられる表示用ホルダーであって、該ＰＯＳレールの前方挟持板の上縁に挟持する上方挟持部と、該ＰＯＳレールの前方挟持板の下縁に係合する下方係合構造と、該上方挟持部と該下方係合構造を接続する表示本体を取付ける本体部と、を備え、該下方係合構造は、該本体部の下端に連続する下方に凸状の係合凹部を有し、該係合凹部を該ＰＯＳレールの前方挟持板の下縁に係合させることを特徴とする表示用ホルダーを提供するものである。
【０００８】
また、本考案は、該下方係合構造が、該本体部の下端に連続する下方に凸状の係合凹部と、該係合凹部の後方端から後方斜め下方に延びる係止片を有し、該係止片は該上方挟持部が該ＰＯＳレールの前方挟持板の上縁に取付けられた状態で該ＰＯＳレールの前方挟持板の下縁に当接し、該係合凹部のバネ力に抗した押し込みにより該係合凹部を該ＰＯＳレールの前方挟持板の下縁に係合させることを特徴とする前記表示用ホルダーを提供するものである。
【０００９】
また、本考案は、該係合凹部と該係止片間に、下方に凸状の第２の係合凹部と、該係合凹部と該第２の係合凹部を接続する該２つの係合凹部の底部より上方に位置する中間係止部を備えることを特徴とする前記表示用ホルダーを提供するものである。
【００１０】
また、本考案は、該係合凹部と該係止片間に、上方に凸状の中間係止部と下方に凸状の第２の係合凹部を備える前記表示用ホルダーを提供するものである。
【００１１】
また、本考案は、該係合凹部から該係止片に至る断面が、波状であることを特徴とする前記表示用ホルダーを提供するものである。
【００１２】
また、本考案は、該表示本体が、液晶表示装置であることを特徴とする前記表示用ホルダーを提供するものである。
【００１３】
また、本考案は、該表示本体と該本体部の取付けは、いずれか一方に付設される左右方向に延びる係合雌部と、該係合雌部に係合するいずれか他方に付設される係合雄部とで行われ、該表示本体と該本体部の着脱は、左右方向にスライドして行われることを特徴とする前記表示用ホルダーを提供するものである。
【００１４】
また、本考案は、該表示本体と該本体部の取付けは、いずれか一方に付設される上下方向に延びる係合雌部と、該係合雌部に係合するいずれか他方に付設される係合雄部とで行われ、該表示本体と該本体部の着脱は、上下方向にスライドして行われることを特徴とする前記表示用ホルダーを提供するものである。
【００１５】
また、本考案は、該ＰＯＳレールは、前方挟持部が、カード挟持部の前面に重ね合わせ状態に配置され、該前方挟持部と該カード挟持部は下端縁で断面が円弧状をなすように連結されていることを特徴とする前記表示用ホルダーを提供するものである。
【考案の効果】
【００１６】
本考案の表示用ホルダーは、棚板部材に装着されたＰＯＳレールを外すことなく、ＰＯＳレールにそのまま設置できるため、液晶表示装置の表示をしつつ、ＰＯＰ表示を可能にし、且つ商品仕切り板の設置をも可能にする。また、棚の高さに応じた表示角度の調節を容易且つ確実に行える。
【考案を実施するための最良の形態】
【００１７】
本考案の実施の形態における表示用ホルダーを図１〜図３及び図５を参照して説明する。図１は本例の表示用ホルダーの裏面から見た斜視図、図２は本例の表示用ホルダーの表面から見た斜視図、図３は本例の表示用ホルダーの側面図、図５は本例の表示用ホルダーをＰＯＳレールに装着する方法を説明する図である。表示用ホルダー１０は、陳列棚５に設置されたＰＯＳレール６の前方挟持板６１に取付けられる表示用ホルダーであって、ＰＯＳレール６の前方挟持板６１の上縁６８に挟持する上方挟持部１と、ＰＯＳレール６の前方挟持板６１の下縁６３に係合する下方係合構造３と、上方挟持部１と下方係合構造３を接続する表示本体７を取付ける本体部２と、を備え、下方係合構造３は、本体部２１の下端に連続する下方に凸状の係合凹部３１を有し、係合凹部３１をＰＯＳレール６の前方挟持板６１の下縁６３に係合させるものである。
【００１８】
上方挟持部１は、前方挟持片１１と後方挟持片１３が略平行状態にあり、前方挟持片１１と後方挟持片１３の上端が円弧状の連結部で連結されたものである。また、後方挟持片１３の下方先端近傍は、前方挟持片１１と後方挟持片１３間の隙間を狭くして挟持力を高める凹部１４を有する。上方挟持部１は係る構造を採ることで、ＰＯＳレール６の前方挟持板６１に手で差込むだけできつく固定でき、使用状態でこの固定状態を安定して維持でき、ＰＯＳレール６から表示用ホルダー１０を外す場合、更に手で容易に抜くことができる。
【００１９】
下方係合構造３は、本体部２１の下端に連続する下方に凸状（円弧状）の係合凹部３１と、係合凹部３１と同じ形状の第２係合凹部３３と、係合凹部３１と第２の係合凹部を接続する該２つの係合凹部の底部より上方に位置する板状の中間係止部３２と、第２係合凹部３３の後方端から後方斜め下方に延びる舌状の係止片３４からなる。中間係止部３２は、係合凹部３１と第２係合凹部３３のそれぞれの円弧状係合溝を区画して形成する作用と、係合凹部３１に係合するＰＯＳレール６の前方挟持板６１と第２係合凹部３３に係合するＰＯＳレール６の前方挟持板６１とではその形成する角度を異にする作用を有する。また、中間係止部３２の設置位置は、第２係合凹部３３にＰＯＳレール６の前方挟持板６１の下端縁６３が係合している状態で、図６の矢印Ｙ方向に手で押し込む際、係合凹部３１のバネ力に抗して、中間係止部３２を越えて前方挟持板６１が係合凹部３１の円弧状溝に嵌る作用を奏するような位置である。
【００２０】
なお、本考案において、下方係合構造３は、上記形態に限定されず、図４に示すような形態であってもよい。すなわち、図４の表示用ホルダー１０ａは、表示用ホルダー１０において、下方係合構造３ａは、第２係合凹部３３及び中間係止部３２が省略された形態である。すなわち、下方係合構造３ａは、本体部２の下端に連続する下方に凸状（円弧状）の係合凹部３１と、係合凹部３１の後方端から後方斜め下方に延びる係止片３４ａを有し、係止片３４ａは上方挟持部１がＰＯＳレール６の前方挟持板６１の上縁６８に取付けられた状態でＰＯＳレール６の前方挟持板６１の下縁６３に当接し、係合凹部３のバネ力に抗した押し込みにより係合凹部３をＰＯＳレール６の前方挟持板６１の下縁に係合させるものである。このような形態であっても、角度調節は行えないものの、ＰＯＳレール６に設置可能となる。
【００２１】
また、下方係合構造３の他の形態としては、図４の表示用ホルダー１０ａにおいて、係合凹部３と係止片３４ａ間に、上方に凸状の中間係止部と下方に凸状の第２の係合凹部を備え、該係合凹部３から係止片３４ａに至る断面が波状のものが挙げられる。このような形態であっても、表示用ホルダー１０と同様の効果を奏する。
【００２２】
本体部２は矩形状の板状物であり、表面２１には液晶表示装置などの表示本体７を取付ける取付部を有している。本例では、本体部２の表面２１の上端縁及び下端縁で左右方向に延在する略Ｌ字断面の鉤状の係合雌部２２、２３と、本体部２のやや上方に形成される差し込み停止部材２５と、上下中央部の左端部に形成される係合突起２４を有する。鉤状の係合雌部２２、２３は、表示本体７の係合雄部７４、７５と左右方向にスライド自在に係合する。これにより、表示本体７は本体部２に着脱自在となる。なお、差し込み停止部材２５と係合突起２４は、その設置を省略することができる。
【００２３】
次ぎに、本考案の表示用ホルダー１０をＰＯＳレール６の前方挟持板６１に装着する方法を説明する。装着前の状態は、図５に示すように、表示本体７と、表示用ホルダー１０と、棚板部材５の前端部に付設されたＰＯＳレール６とが分離した状態にある。表示本体７としては、液晶表示装置及び回転リーフ式のプライサー本体部などが挙げられ、このうち、液晶表示装置が、本考案の効果を顕著に奏することができる点で好適である。また、ＰＯＳレール６は、前方挟持部６１が、カード挟持部６２の前面に重ね合わせ状態に配置され、前方挟持部６１とカード挟持部６２は下端縁で断面が円弧状をなすように連結されているものであれば、特に制限されず、カード挟持部６２に連続する商品仕切り板係合溝などが形成される後方部材は、如何なる形状のものであってもよい。
【００２４】
表示本体７の一例を図９及び図１０を参照して説明する。液晶表示装置７は、ボックス状物であり、表面部には液晶表示７１が形成され、裏面には、表示用ホルダー１０と係合する係合部が形成されている。本例では、この係合部は、左右方向に延出する上下一対のＬ字断面形状の係合雄部７４、７５であり、本体部の差し込み停止部材２５と当接面７７で当接して、本体部のそれ以上の差し込みを規制する移動規制部材７６と、係止突起２４と係止する第２係止突起を備える。
【００２５】
なお、本考案の表示用ホルダーにおいて、表示用ホルダーと表示本体の係合形態としては、上記形態に限定されず、例えば、表示本体７と本体部１０のいずれか一方に付設される上下方向に延びる係合雌部と、該係合雌部に係合するいずれか他方に付設される係合雄部とを有するものであって、表示本体７と本体部１０の着脱は、上下方向にスライドして行われるもの、表示本体と本体部のそれぞれに付設されるマジックテープ（商標登録）同士の係合によるものが挙げられる。
【００２６】
図５の状態から、表示本体７を表示用ホルダー１０に装着する。この場合、例えば図２の状態にある表示用ホルダー１０に、液晶表示装置７を図２中、右側から左側方向へ、係合雌部２２、２３と係合雄部７４、７５を係合させつつスライドさせながら差し込む。差し込みにより、表示本体７と表示用ホルダー１０のセット位置が一致する位置にくると、表示用ホルダー１０の本体部の差し込み停止部材２５と表示本体７の移動規制部材７６とが当接してスライド移動を停止させる。また、この状態で表示用ホルダー１０の本体部の係止突起２４と表示本体７の第２係止突起７８が係止して、わずかな外力では抜かれず、両者は係合状態となる（図１１及び図１２参照）。なお、図１１及び図１２は、表示用ホルダー１０と表示本体７の関係を明確にするため、ＰＯＳレール６の記載を省略した。
【００２７】
表示用ホルダーと表示本体の取り付け手段の他の例を図１４〜図１８を参照して説明する。図１４は他の例の表示ホルダーの斜視図、図１５は他の例の表示本体を裏から見た斜視図、図１６は他の例の表示本体を裏から見た斜視図、図１７は図１４の表示ホルダーと図１５の表示本体との係合状態を示す図、図１８は図１４の表示ホルダーと図１６の表示本体との係合状態を示す図である。図１７および図１８において、表示本体は係合状態が見易いように２点鎖線で示した。なお、図１４において、図１と同一構成要素には同一符号を付して、その説明を省略する。すなわち、図１４の表示用ホルダー１０ａにおいて、図１の表示ホルダー１０と異なる点は、本体部２１が上下方向にやや長い点、表示本体を取付ける手段として、四角形の鍔部８４を有する突起部８とした点にある。なお、符号８２は成形の都合上生じる肉盗みであり、符号８３は係合孔である。また、表示本体７ａにおける取付け手段は左右方向に延びる上下一対の突起７４ａ、７５ａと表示本体の裏面で形成される係合隙間と、スライド移動を規制する突起７４ａ、７５ａの一端を接続する上下方向に延びる規制部材７７ａである。なお、符号７６ａは突起部８の鍔部８４が係合隙間に係合した後の抜けを防止するストッパーであり、係合する際の障害とならないよう、薄い突起となっている。表示用ホルダー１０ａと表示本体７ａの係合は互いに左右方向にスライドさせることで行われる（図１７参照）。
【００２８】
また、表示本体７ｂにおける取付け手段は上下方向に延びる左右一対の突起７４ｂ、７５ｂと表示本体の裏面で形成される係合隙間と、スライド移動を規制する小さな円筒部材である突起７６ｂである。表示用ホルダー１０ａと表示本体７ｂの係合は互いに上下方向にスライドさせることで行われ、表示用ホルダー１０ａの係合孔８３と表示本体７ｂの突起７６ｂが嵌り係合を安定化させる（図１８参照）。
【００２９】
次いで、表示本体７を装着した表示用ホルダー１０をＰＯＳレール６に取り付ける。取り付け方法は、先ず、表示用ホルダー１０の上方挟持部１を、図６中、矢印Ｘの方向に差し込むことで、上方挟持部１とＰＯＳレール６の前方挟持部６１の上縁６８とを係合させる（図６）。この状態において、表示用ホルダー１０の係止片３４は、ＰＯＳレール６の前方挟持部６１の下縁６３に当接している。図６の設置状態は、液晶表示面が、前方斜め上方を向いているため、多段陳列棚の下方陳列棚の設置に好適である。
【００３０】
次いで、表示用ホルダー１０を多段陳列棚のやや下方にある陳列棚へ設置する場合、図６の状態から、下方係合構造３を陳列棚方向に更に押し込む。この場合、係合凹部３１のバネ力に抗して、略波板状の下方係合構造３が下方にやや開くため、ＰＯＳレール６の前方挟持部６１の下縁６３は、第２係合凹部３３と係止片３４の接続部材である第２中間係止部３５を乗り越えて第２係合凹部３３に嵌り込む（図７）。これにより、液晶表示面が、図６の角度よりやや浅めの斜め上方の向きとなる。
【００３１】
次いで、表示用ホルダー１０を多段陳列棚の中間の陳列棚へ設置する場合、図７の位置にある下方係合構造３を陳列棚方向に更に押し込む。この場合、前記同様、係合凹部３１のバネ力に抗して、略波板状の下方係合構造３が下方にやや開くため、ＰＯＳレール６の前方挟持部６１の下縁６３は、中間係止部３２を乗り越えて係合凹部３１に嵌り込む（図８）。これにより、液晶表示面が、図６の角度よりやや浅めのほぼ正面の向きとなる。なお、第２ＰＯＳレール６の前方挟持部６１の下縁６３を、第２係合凹部３３から係合凹部３１に移動させる方法としては、上記押し込みによる方法以外に、例えば係止片３４を下方に引張りながら後方へ押す方法をとることもできる。このように、表示用ホルダー１０によれば、手の押込み操作のみで、表示本体の表示面を３段階の角度で調節することができる。また、ＰＯＳレールを外すことなく利用でき、ＰＯＰカードの表示から、商品仕切り板の設置なども可能となる。なお、図６〜図８においては、表示本体と表示ホルダーの本体部との係合部材を図面簡略化のため、省略してある。なお、図１３は図６〜図８の設置形態を判り易くするために、仮として一つのＰＯＳレールに装着した例であり、図６が図１３の（Ａ）に相当し、図７が図１３の（Ｂ）に相当し、図８が図１３の（Ｃ）に相当する。
【図面の簡単な説明】
【００３２】
【図１】本実施の形態例の表示用ホルダーの裏面から見た斜視図。
【図２】本実施の形態例の表示用ホルダーの表面から見た斜視図。
【図３】本実施の形態例の表示用ホルダーの側面図。
【図４】他の実施の形態例の表示用ホルダーの側面図。
【図５】本例の表示用ホルダーをＰＯＳレールに装着する方法を説明する図。
【図６】本例の表示用ホルダーの表示角度が大となる設置形態を説明する図。
【図７】本例の表示用ホルダーの表示角度が中となる設置形態を説明する図。
【図８】本例の表示用ホルダーの表示角度が小となる設置形態を説明する図。
【図９】表示用ホルダーに取り付けられる表示本体の斜視図。
【図１０】表示用ホルダーに取り付けられる表示本体の裏面から見た斜視図。
【図１１】表示本体が装着された表示用ホルダーの斜視図。
【図１２】表示本体が装着された表示用ホルダーの裏面から見た斜視図。
【図１３】表示ホルダーを仮として一つのＰＯＳレールに装着した状態を示す図。
【図１４】他の例の表示用ホルダーの表面から見た斜視図。
【図１５】他の例の表示本体を裏から見た斜視図。
【図１６】他の例の表示本体を裏から見た斜視図。
【図１７】図１４の他の表示用ホルダーと図１５の表示本体の係合状態を示す図。
【図１８】図１４の他の表示用ホルダーと図１６の表示本体の係合状態を示す図。
【図１９】本例の表示用ホルダーが装着されるＰＯＳレールの側面図。
【図２０】図１４のＰＯＳレールが装着される棚板部材の前方における側面図。
【符号の説明】
【００３３】
１    上方挟持部
２    本体部
３    下方係合構造
５    棚板部材
６    ＰＯＳレール
７、７ａ、７ｂ    表示本体
１０、１０ａ    表示用ホルダー
１１    前方挟持片
１２    円弧状連結部
１３    後方挟持片
１４    凹部
２１    本体部
２２、２３    係合雌部
２４    係止突起
２５    差し込み停止部材
３１    係合凹部
３２    中間係止部
３３    第２係合凹部
３４、３４ａ    係止片
３５    下方係合構造  
６１    前方挟持板
６２    カード挟持部
６３    下縁
６８    上縁
７４、７５    係合雄部
７６    移動規制部材
７７    当接面
７８    第２係止突起
【図１】
0003124031.tif 000003
【図２】
0003124031.tif 000004
【図３】
0003124031.tif 000005
【図４】
0003124031.tif 000006
【図５】
0003124031.tif 000007
【図６】
0003124031.tif 000008
【図７】
0003124031.tif 000009
【図８】
0003124031.tif 000010
【図９】
0003124031.tif 000011
【図１０】
0003124031.tif 000012
【図１１】
0003124031.tif 000013
【図１２】
0003124031.tif 000014
【図１３】
0003124031.tif 000015
【図１４】
0003124031.tif 000016
【図１５】
0003124031.tif 000017
【図１６】
0003124031.tif 000018
【図１７】
0003124031.tif 000019
【図１８】
0003124031.tif 000020
【図１９】
0003124031.tif 000021
【図２０】
0003124031.tif 000022